(57)【要約】【課題】  座標入力装置のセンス部において、位置指示器の指示位置等を検出できない領域である無効エリアを縮小する。【解決手段】  Ｘ方向と直交する少なくとも２本の直線部を有するループコイルをＸ方向に複数並べてなるＸ方向ループコイル群と、Ｙ方向と直交する少なくとも２本の直線部を有するループコイルをＹ方向に複数並べてなるＹ方向ループコイル群とが配設された座標入力装置のセンス部である。Ｘ方向ループコイル群またはＹ方向ループコイル群の端部近傍において、隣り合う直線部の間に複数の端子からなる端子部を設け、Ｘ方向ループコイル群の各ループコイルおよびＹ方向ループコイル群の各ループコイルのいずれかと、端子部のいずれかの端子とを接続する線路を、Ｘ方向ループコイル群の各ループコイル及びＹ方向ループコイル群の各ループコイルの直線部と同層のパターンによって直線部の間に配設した。【選択図】  図１
2005165432.tif 000002
【特許請求の範囲】
【請求項１】
Ｘ方向と直交する直線部を有する信号検出線をＸ方向に複数並べてなるＸ方向信号検出線群と、Ｙ方向と直交する直線部を有する信号検出線をＹ方向に複数並べてなるＹ方向信号検出線群とが配設され、
前記Ｘ方向信号検出線群の各信号検出線の直線部と、前記Ｙ信号検出線群の各信号検出線の直線部とが別の層のパターンにより形成されており、
前記Ｘ方向信号検出線群または前記Ｙ信号検出線群が有する前記直線部のうち隣り合う前記直線部の間に、複数の端子からなる端子部が設けられ、
前記Ｘ方向信号検出線群の各信号検出線及び前記Ｙ信号検出線群の各信号検出線と、前記端子部の端子とを接続する線路が、前記Ｘ方向信号検出線群の各信号検出線の前記直線部の間又は前記Ｙ信号検出線群の各信号検出線の前記直線部の間に配設されたこと、
を特徴とする座標入力装置のセンス部。
【請求項２】
Ｘ方向と直交する少なくとも２本の直線部を有するループコイルをＸ方向に複数並べてなるＸ方向ループコイル群と、Ｙ方向と直交する少なくとも２本の直線部を有するループコイルをＹ方向に複数並べてなるＹ方向ループコイル群とが配設され、
前記Ｘ方向ループコイル群の各ループコイルの直線部と、前記Ｙ方向ループコイル群の各ループコイルの直線部とが別の層のパターンにより形成されており、
前記Ｘ方向ループコイル群または前記Ｙ方向ループコイル群が有する前記直線部のうち隣り合う前記直線部の間に、複数の端子からなる端子部が設けられ、
前記Ｘ方向ループコイル群の各ループコイル及び前記Ｙ方向ループコイル群の各ループコイルと、前記端子部の端子とを接続する線路が、前記Ｘ方向ループコイル群の各ループコイルの前記直線部の間又は前記Ｙ方向ループコイル群の各ループコイルの前記直線部の間に配設されたこと、
を特徴とする座標入力装置のセンス部。
【請求項３】
前記Ｘ方向ループコイル群及び前記Ｙ方向ループコイル群においては、隣り合う前記ループコイルが、その一部が互いに重なり合うよう並べて配設されたことを特徴とする請求項２記載の座標入力装置のセンス部。
【請求項４】
前記端子部は、前記Ｘ方向ループコイル群の端部または端部近傍において隣り合う２のループコイルの直線部の間、或いは、前記Ｙ方向ループコイル群の端部または端部近傍において隣り合う２のループコイルの直線部の間に配設されたことを特徴とする請求項２または３記載の座標入力装置のセンス部。
【請求項５】
前記端子部は、前記座標入力装置のセンス部の表面に露出する複数の端子を備え、
前記端子が露出する面の裏面側にシールド板が配設されたことを特徴とする請求項２から４のいずれかに記載の座標入力装置のセンス部。
【請求項６】
前記Ｘ方向ループコイル群及び前記Ｙ方向ループコイル群の各ループコイルへ信号を送出しかつ各ループコイルからの信号を取り出すための配線を有する可撓性のケーブルが、ＡＣＦ工法により前記端子部の端子に接続されたことを特徴とする請求項２から５のいずれかに記載の座標入力装置のセンス部。
【請求項７】
前記Ｘ方向ループコイル群及び前記Ｙ方向ループコイル群の各ループコイル、及び前記端子部が、リジッド基板におけるパターンとして形成されたことを特徴とする請求項２から６のいずれかに記載の座標入力装置のセンス部。
【発明の詳細な説明】
【技術分野】
【０００１】
本発明は、電磁作用を利用した座標入力装置のセンス部に関する。
【背景技術】
【０００２】
従来、多数のループコイルをＸ方向およびＹ方向に並べて配置したセンス部と、コイルを有する位置指示器とを用いた座標入力装置が知られている。この座標入力装置は、センス部と位置指示器との間の電磁作用に基づいて、位置指示器により指定された位置をセンス部において検出する。
【０００３】
ところで、座標入力装置のセンス部においては、各ループコイルへ給電し、かつ各ループコイルから信号を取り出すための線路を配設する必要がある。従来は、各ループコイルから、ループコイルが配設された領域の外側へ線路を引き出して、制御回路等に接続していた。
【０００４】
座標入力装置のセンス部において、位置指示器による指示位置を検出できるのはループコイルが配設された領域であり、この領域は検出可能エリアと呼ばれる。これに対し、上記線路だけが配設された領域においては、位置指示器の指示位置等を検出することができないので、この領域は無効エリアと呼ばれる。
座標入力装置においては、位置指示器の操作に用いることが可能な検出可能エリアを広く、かつ、全体のサイズをコンパクトにすることが重要な課題である。そのため、無効エリアをできるだけ縮小する必要があった。
【０００５】
そこで、出願人は、各ループコイルへ給電し、かつ各ループコイルから信号を取り出すための線路をループコイルの配線の間に配置して、ループコイルの外側まで引き出すことにより、無効エリアを縮小することに成功した（例えば、特許文献１参照）。
【特許文献１】特許第２８４２７１７号公報
【発明の開示】
【発明が解決しようとする課題】
【０００６】
上記特許文献１に記載された座標入力装置のセンス部によれば、線路をループコイルの外側へ効率よく引き出して、コントロール回路基板等を接続することができる。これによって無効エリアの面積を小さくすることが可能となった。
【０００７】
しかしながら、上述した検出可能エリアの拡大と無効エリアの縮小は、依然として要求される重要な課題である。
そこで、本発明の目的は、座標入力装置のセンス部において、位置指示器の指示位置等を検出できない領域である無効エリアを縮小し、限られたサイズの中においても、位置指示器の指示位置等を検出可能な検出可能エリアを広く確保することにある。
【課題を解決するための手段】
【０００８】
上記の目的を達成するために、本発明の座標入力装置のセンス部は、Ｘ方向と直交する直線部を有する信号検出線をＸ方向に複数並べてなるＸ方向信号検出線群と、Ｙ方向と直交する直線部を有する信号検出線をＹ方向に複数並べてなるＹ方向信号検出線群とが配設され、前記Ｘ方向信号検出線群の各信号検出線の直線部と、前記Ｙ信号検出線群の各信号検出線の直線部とが別の層のパターンにより形成されており、前記Ｘ方向信号検出線群または前記Ｙ信号検出線群が有する前記直線部のうち隣り合う前記直線部の間に、複数の端子からなる端子部が設けられ、前記Ｘ方向信号検出線群の各信号検出線及び前記Ｙ信号検出線群の各信号検出線と、前記端子部の端子とを接続する線路が、前記Ｘ方向信号検出線群の各信号検出線の前記直線部の間又は前記Ｙ信号検出線群の各信号検出線の前記直線部の間に配設されたことを特徴とする。
【０００９】
また、本発明の座標入力装置のセンス部は、Ｘ方向と直交する少なくとも２本の直線部を有するループコイルをＸ方向に複数並べてなるＸ方向ループコイル群と、Ｙ方向と直交する少なくとも２本の直線部を有するループコイルをＹ方向に複数並べてなるＹ方向ループコイル群とが配設され、前記Ｘ方向ループコイル群の各ループコイルの直線部と、前記Ｙ方向ループコイル群の各ループコイルの直線部とが別の層のパターンにより形成されており、前記Ｘ方向ループコイル群または前記Ｙ方向ループコイル群が有する前記直線部のうち隣り合う前記直線部の間に、複数の端子からなる端子部が設けられ、前記Ｘ方向ループコイル群の各ループコイル及び前記Ｙ方向ループコイル群の各ループコイルと、前記端子部の端子とを接続する線路が、前記Ｘ方向ループコイル群の各ループコイルの前記直線部の間又は前記Ｙ方向ループコイル群の各ループコイルの前記直線部の間に配設されたことを特徴とする。
【００１０】
本発明の座標入力装置のセンス部において、前記Ｘ方向ループコイル群及び前記Ｙ方向ループコイル群においては、隣り合う前記ループコイルが、その一部が互いに重なり合うよう並べて配設された構成としても良い。
【００１１】
さらに、本発明の座標入力装置のセンス部において、前記端子部が、前記Ｘ方向ループコイル群の端部または端部近傍において隣り合う２のループコイルの直線部の間、或いは、前記Ｙ方向ループコイル群の端部または端部近傍において隣り合う２のループコイルの直線部の間に配設された構成としても良い。
【００１２】
また、本発明の座標入力装置のセンス部において、前記端子部が、前記座標入力装置のセンス部の表面に露出する複数の端子を備え、前記端子が露出する面の裏面側にシールド板が配設された構成としても良い。
【００１３】
また、本発明の座標入力装置のセンス部において、前記Ｘ方向ループコイル群及び前記Ｙ方向ループコイル群の各ループコイルへ信号を送出しかつ各ループコイルからの信号を取り出すための配線を有する可撓性のケーブルが、ＡＣＦ（異方性導電膜）工法により前記端子部の端子に接続された構成としても良い。
【００１４】
また、本発明の座標入力装置のセンス部において、前記Ｘ方向ループコイル群及び前記Ｙ方向ループコイル群の各ループコイル、及び前記端子部が、リジッド基板におけるパターンとして形成された構成としても良い。
【発明の効果】
【００１５】
本発明によれば、信号検出線が配設された領域の内側に、信号検出線に接続された端子、及び、該端子と信号検出線とを接続する線路を設けることができるので、センス部において信号検出線による信号検出に利用できない領域をほぼ無くすことができ、センス部のほぼ全体を、信号の検出に利用可能な検出可能エリアとすることができる。このため、センス部においてスペースを極めて効率よく利用することができ、センス部全体のサイズを縮小しつつも、広い検出可能エリアを確保することができる。
【００１６】
また、本発明によれば、ループコイルが配設された領域の内側に、ループコイルに接続された端子、及び、該端子とループコイルとを接続する線路を設けることができるので、センス部においてループコイルによる信号検出に利用できない領域をほぼ無くすことができ、センス部のほぼ全体を、信号の検出に利用可能な検出可能エリアとすることができる。このため、センス部においてスペースを極めて効率よく利用することができ、センス部全体のサイズを縮小しつつも、広い検出可能エリアを確保することができる。
【００１７】
さらに、本発明の座標入力装置のセンス部によれば、端子部を、Ｘ方向ループコイル群の端部または端部近傍において隣り合う２のループコイルの直線部の間、或いは、Ｙ方向ループコイル群の端部または端部近傍において隣り合う２のループコイルの直線部の間、すなわち、隣り合う直線部の間隔が広い箇所に端子部を配設する。これにより、多数の端子を有する端子部を容易に設けることが可能となり、さらに、端子部が配設された箇所において隣り合う直線部の間が広く空いているため、端子部の端子とループコイルとを接続するための線路を容易にかつ自由に配置できる。
【００１８】
また、本発明の座標入力装置のセンス部によれば、端子部を、座標入力装置のセンス部の表面に露出する複数の端子を備えた構成とし、端子が露出する面の裏面側にシールド板を配設することで、端子部の端子に別の配線を容易に接続することができ、さらに、当該別の配線を介して接続される制御回路基板等をシールド板に貼り付けて固定できる。これにより、容易に制御回路等を接続でき、かつ、制御回路等を接続した場合であっても小さなサイズに収めることが可能な座標入力装置のセンス部を提供できる。
【００１９】
また、本発明の座標入力装置のセンス部によれば、Ｘ方向ループコイル群及びＹ方向ループコイル群の各ループコイルへ信号を送出しかつ各ループコイルからの信号を取り出すための配線を有する可撓性のケーブルを、ＡＣＦ工法により端子部の端子に接続するので、極めて簡単に、端子部に別の配線を接続できる。従って、制御回路等の外部回路を容易に接続可能な座標入力装置のセンス部を提供できる。
【００２０】
また、本発明の座標入力装置のセンス部によれば、Ｘ方向ループコイル群及びＹ方向ループコイル群の各ループコイル及び端子部を、安価で高い剛性を有するガラスエポキシ基板等のリジッド基板におけるパターンとして形成するので、可撓性を有するフレキシブル基板を用いた場合と比較して、基板自体を筐体等に直接ネジ止めする等して固定することができる。これにより、本発明の座標入力装置のセンス部を用いた機器の構成を単純化することができるので、当該機器における故障率の低下、低コスト化を図ることができ、当該機器のデザインの自由度を高めることが可能である。
【発明を実施するための最良の形態】
【００２１】
以下、本発明の実施の形態を図面に基づき説明する。
図１は、本発明の実施の形態における座標入力装置のセンス部１の構成を示す平面図である。図１において、１はセンス部、１０はＸ方向ループコイル群、２０はＹ方向ループコイル群である。
【００２２】
センス部１は、例えばガラスエポキシ基板等のリジッド基板である。図１中の実線および破線はいずれも基板上に形成された配線である。センス部１は複数層を有する基板で構成され、図１中において実線により表される配線と破線により表される配線とは、それぞれ別の層のパターンにより形成される。また、図１中に実線および破線で表される配線はいずれも絶縁膜により被覆されており、センス部１の表面に露出しない。
また、センス部１の一方の面には電磁的影響を遮断するシールド板１３（図４）が貼り付けられている。以下、シールド板１３が貼り付けられた面を裏とし、その反対の面を表として説明する。
【００２３】
Ｘ方向ループコイル群１０は、それぞれＸ方向（図中横方向）と直交する２本の直線部を有する複数のループコイルにより構成され、Ｙ方向ループコイル群２０は、それぞれＹ方向（図中縦方向）と直交する２本の直線部を有する複数のループコイルにより構成される。
本実施の形態では、一例として、Ｘ方向ループコイル群１０を１０本のループコイル１１−１〜１１−１０からなるものとし、Ｙ方向ループコイル群２０を８本のループコイル２１−１〜２１−８からなるものとして説明する。
【００２４】
例えば、図１に示すループコイル１１−１は、Ｘ方向と直交する方向すなわちＹ方向に延びる２本の直線部と、これら２本の直線部に接続され、Ｘ方向に沿って延びる２本の配線とによって構成される。Ｙ方向の直線部とＸ方向に沿って延びる配線とは、それぞれ別の層のパターンにより構成され、スルーホール（図示略）により接続される。Ｘ方向ループコイル群１０における他のループコイルも同様に構成される。
また、図１に示すループコイル２１−１は、Ｙ方向と直交する方向すなわちＸ方向に延びる２本の直線部と、これら２本の直線部に接続され、Ｙ方向に沿って延びる２本の配線とによって構成される。Ｘ方向の直線部とＹ方向に沿って延びる配線とは、それぞれ別の層のパターンにより構成され、スルーホール（図示略）により接続される。Ｙ方向ループコイル群２０における他のループコイルも同様に構成される。
【００２５】
なお、Ｘ方向ループコイル群１０のループコイル１１−１〜１１−１０において、Ｘ方向に沿って延びる配線は直線でなくても良い。また、ループコイル１１−１〜１１−１０において、Ｙ方向の直線部は、Ｙ方向ループコイル群２０と重なり合う部分において直線状であれば良いので、全体が完全に直線のみで構成される形状に限定されず、例えば端部１以上のポイントで曲がる形状としても良い。さらに、Ｙ方向ループコイル群２０のループコイル２１−１〜２１−８において、Ｙ方向に沿って延びる配線は直線でなくても良い。また、Ｘ方向の直線部はＸ方向ループコイル群１０と重なり合う部分において直線状であれば良く、全体が完全に直線のみで構成される形状に限定されず、例えば端部が１以上のポイントで曲がる形状としても良い。
【００２６】
図１に示すように、Ｘ方向ループコイル群１０において、ループコイル１１−１〜１１−１０は、隣り合うループコイルの一部が互いに重なり合うように、Ｘ方向に並べて配設されている。このため、Ｘ方向ループコイル群１０のループコイルを構成する複数の直線部は、Ｘ方向ループコイル群１０の中央部分においては狭い間隔で、Ｘ方向ループコイル群１０の端部においては広い間隔で、平行に並んでいる。
具体的な例を挙げると、Ｘ方向ループコイル群１０の図中左端部には、左端から順にループコイル１１−１，１１−２，１１−３の直線部が並んでいる。これら３本の直線部については、隣り合う直線部の間隔が、Ｘ方向ループコイル群１０の中央部分における直線部の間隔よりも広くなっている。
同じく、Ｘ方向ループコイル群１０の図中右端部には、右端から順にループコイル１１−１０，１１−９，１１−８の直線部が並んでおり、これら３本の直線部は、Ｘ方向ループコイル群１０の中央部分における直線部よりも広い間隔で並んでいる。
【００２７】
また、Ｙ方向ループコイル群２０において、ループコイル２１−１〜２１−８は、隣り合うループコイルの一部が互いに重なり合うようにＹ方向に並べて配設されている。Ｙ方向ループコイル群２０のループコイルを構成する複数の直線部は、Ｙ方向ループコイル群２０の中央部分においては狭い間隔で、Ｙ方向ループコイル群２０の端部においては広い間隔で、平行に並んでいる。
Ｙ方向ループコイル群２０の図中上端部には、上の端から順にループコイル２１−１，２１−２，２１−３の直線部が並び、これら３本の直線部については、隣り合う直線部の間隔が、Ｙ方向ループコイル群２０の中央部分における直線部の間隔よりも広くなっている。Ｙ方向ループコイル群２０の図中下端部には、下の端から順にループコイル２１−８，２１−７，２１−６の直線部が並んでおり、これら３本の直線部は、Ｙ方向ループコイル群２０の中央部分における直線部よりも広い間隔で並んでいる。
【００２８】
好適な一具体例としては、Ｘ方向ループコイル群１０及びＹ方向ループコイル群２０において、各ループコイルが２８．８ｍｍ幅のコイルを形成し、隣り合うループコイルが６．４ｍｍずつずれた位置に配設される場合が挙げられる。
【００２９】
上述のように広い間隔を有するループコイル１１−１０の直線部とループコイル１１−９の直線部との間には、端子部３０が設けられている。
【００３０】
図２は、センス部１における端子部３０の構成を詳細に示す要部拡大図である。
端子部３０は、Ｘ方向ループコイル群１０及びＹ方向ループコイル群２０の各ループコイルに接続される複数の端子が、Ｙ方向に沿って並べて配設されて構成される。
端子部３０における端子には、それぞれ、Ｘ方向ループコイル群１０及びＹ方向ループコイル群２０におけるループコイルの両端が接続される。従って、端子部３０の各端子は一つのループコイルの両端に各々接続される一対の端子の集合と見ることができ、これら端子対の数はループコイルの数に対応する。
本実施の形態において、端子部３０には、Ｘ方向ループコイル群１０の１０本のループコイル及びＹ方向ループコイル群２０の８本のループコイルに対応して、１８対の端子対３１−１〜３１−１８が設けられる。
【００３１】
端子部３０の各端子は、センス部１の最も表面側の層におけるパターンの一部を、表面の導体を絶縁している皮膜を除去して露出させることによって形成できる。端子部３０に多数の端子を備えた場合、ループコイルを構成する配線が端子部３０に干渉する可能性があるが、この場合は、端子部３０に干渉する配線を別の層のパターンによって形成すれば良い。
【００３２】
センス部１には、Ｘ方向ループコイル群１０のループコイル１１−１〜１１−１０と端子部３０の各端子とをそれぞれ接続するため、線路１２−１〜１２−１０が配設されている。線路１２−１〜１２−１０は、それぞれ、ループコイル１１−１〜１１−１０のＹ方向の直線部に接続された２本の配線からなり、Ｙ方向ループコイル群２０のループコイル２１−１〜２１−８の直線部の間を通るように配設されている。例えば、ループコイル１１−１に接続された線路１２−１は、ループコイル２１−１の直線部とループコイル２１−３の直線部との間を通ってＸ方向に延びるように配設され、端子部３０の端子に接続される。
【００３３】
また、センス部１には、Ｙ方向ループコイル群２０のループコイル２１−１〜２１−８と、端子部３０の各端子を接続する線路２２−１〜２２−８が配設されている。線路２２−１〜２２−８は、それぞれ、ループコイル２１−１〜２１−８のＸ方向の直線部に接続された２本の配線からなり、当該直線部からループコイル１１−１〜１１−１０の直線部の間を通ってＹ方向に延び、さらに、ループコイル２１−１〜２１−８の直線部の間を通ってＸ方向に延びるように配設されている。例えば、ループコイル２１−１に接続された線路２２−１は、ループコイル２１−１の直線部から下方に延び、さらにループコイル２１−１の直線部とループコイル２１−４の直線部との間を通るように配設され、端子部３０の端子に接続される。
【００３４】
また、線路１２−１〜１２−１０及び線路２２−１〜２２−８を構成する２本の配線は、ループコイル１１−１〜１１−１０及びループコイル２１−１〜２１−８の幅に比べて、非常に狭い間隔でほぼ平行に並んでいる。従って、ループコイル１１−１〜１１−１０及びループコイル２１−１〜２１−８によって電界または磁界の変化を検出する際に、線路１２−１〜１２−１０及び線路２２−１〜２２−８が電磁的影響を受けたとしても、その影響は、ループコイル１１−１〜１１−１０及びループコイル２１−１〜２１−８によって検出される電界または磁界の変化に比べて非常に微弱である。つまり、ループコイルに接続される線路を設けることによってセンス部１の動作に悪影響が及ぶ恐れは無い。
【００３５】
なお、図１において、線路１２−１〜１２−１０及び線路２２−１〜２２−８は、ループコイル１１−１〜１１−１０の直線部の間およびループコイル２１−１〜２１−８の直線部の間を通る直線状の配線として示したが、本発明はこれに限定されず、全体が完全な直線でなくても良いし、例えば端子部３０の近傍において斜めに曲がっていても良い。
【００３６】
そして、図２に示すように、ループコイル１１−１〜１１−１０に接続された線路１２−１〜１２−１０及びループコイル２１−１〜２１−８に接続された線路２２−１〜２２−８は、それぞれ、端子部３０の端子対３１−１〜３１−１８に接続される。
例えば、端子対３１−１には線路１２−１が接続され、端子対３１−２には線路１２−２が接続される。また、端子対３１−３には線路２２−１が接続され、端子対３１−４には線路２２−２が接続される。
【００３７】
以上のように構成されるセンス部１は、Ｘ方向に並ぶループコイル１１−１〜１１−１０とＹ方向に並ぶループコイル２１−１〜２１−８とが配設された領域の内側において、端子対３１−１〜３１−１８からなる端子部３０を設け、さらに、各ループコイルと端子対３１−１〜３１−１８を接続する線路１２−１〜１２−１０及び線路２２−１〜２２−８を設けた構成となっている。すなわち、センス部１においては、複数のループコイルを設けた領域の内部に、これらループコイルに給電及び信号の送出を行い、かつ各ループコイルから信号を取り出すための線路および端子を設けることに成功している。
従って、電界または磁界の変化の検出に利用できない領域（無効エリア）をほぼ無くすことができ、センス部１の全面を、電界または磁界の変化の検出に利用可能な領域（検出可能エリア）とすることができる。
これにより、限られた基板の面積を最大限に有効利用することが可能となり、センス部１全体のサイズを縮小しつつも、広い検出可能エリアを確保することができる。
【００３８】
さらに、端子部３０を、隣り合う直線部の間隔が広い箇所に配設するので、多数の端子を有する端子部３０を容易に設けることができる。また、端子部３０が配設された箇所において隣り合う直線部の間が広く空いているため、線路１２−１〜１２−１０及び線路２２−１〜２２−８を、容易にかつ自由に配置できる。
また、端子部３０の端子対３１−１〜３１−１８が表面に露出しているため、これら端子対に別の配線を容易に接続することができる。
【００３９】
また、Ｘ方向ループコイル群１０及びＹ方向ループコイル群２０の各ループコイル及び端子部３０を、安価で高い剛性を有するリジッド基板におけるパターンとして形成するので、可撓性を有するフレキシブル基板等を用いた場合と比較して、基板自体を筐体に直接ネジ止めする等して固定することができる。これにより、センス部１を用いた機器の構成を単純化できるので、センス部１を用いた機器は、故障率が低く、低コスト化が可能で、かつ、デザインの自由度が高いという利点を有するものとなる。
【００４０】
続いて、図３〜図５を参照し、センス部１の端子部３０に、制御回路等を備えたコントロール回路基板３を接続した例について説明する。
図３〜図５に示す例では、センス部１に対し、フラットケーブル２を介してコントロール回路基板３が接続される。
フラットケーブル２は、ポリイミド等の合成樹脂製のフィルムに導体を配した可撓性を有するケーブルであり、フラットケーブル２の両端には、端子部３０の各端子と、コントロール回路基板３に設けられた端子（図示略）とを接続するための配線（図示略）が形成されている。
【００４１】
コントロール回路基板３は、センス部１の各ループコイルに給電、信号送出を行い、各ループコイルから取り出した信号を処理する制御回路等（図示略）が実装されている。
【００４２】
センス部１の端子部３０に対して、フラットケーブル２を、例えばＡＣＦ工法により接続し、さらにフラットケーブル２とコントロール回路基板３とを接続固定すると、図３に示す状態となる。
【００４３】
図３に示す状態において、フラットケーブル２をセンス部１の裏面側すなわちシールド板１３側に折り曲げ、コントロール回路基板３をセンス部１の裏面に固定すると、図４及び図５に示す状態となる。
図４の側面図、及び図５の平面図（裏面側）に示すように、センス部１、フラットケーブル２及びコントロール回路基板３を含む全体のサイズは、センス部１のみのサイズに比べ、フラットケーブル２及びコントロール回路基板３の分だけ一部分の厚みが増し、幅方向のサイズがフラットケーブル２の厚み分だけ増している。しかしながら、フラットケーブル２及びコントロール回路基板３の厚みによる増分は極めてわずかである。従って、センス部１には、ほぼサイズを増大させずにコントロール回路基板３を取り付けることができる。
【００４４】
このように、センス部１は、実際に利用する段階においてコントロール回路基板３を接続したとしても、極めてコンパクトなサイズに収めることができる。
【００４５】
特に、センス部１の裏面にシールド板が配されているため、コントロール回路基板３をシールド板に貼り付けて固定し、コンパクトなサイズに収めることができる。さらに、フラットケーブル２をＡＣＦ工法によって端子部３０に接続することで、極めて簡単に接続を完了できる。
【００４６】
なお、上記実施の形態においては、センス部１に配設されるＸ方向ループコイル群１０におけるループコイルの数を１０本とし、Ｙ方向ループコイル群２０におけるループコイルの数を８本としたが、本発明はこれに限定されるものではなく、ループコイルの数はより多くても少なくても良く、センス部１のサイズや用途・要求される検出精度に応じて変更可能である。また、ループコイルのサイズについても任意に変更可能である。
【００４７】
また、上記実施の形態においては、Ｘ方向ループコイル群１０のループコイル１１−１〜１１−１０及びＹ方向ループコイル群２０のループコイル２１−１〜２１−８を、いずれも１ターンのコイルとして説明したが、本発明はこれに限定されるものではなく、例えば図６に示すように２ターンのコイルとしても良い。図６に例示するループコイル４１，４２は、それぞれ４本の直線部を有し、複数の層を有する基板（図示略）において各層のパターンを組み合わせることにより実現可能である。
【００４８】
さらに、上記実施の形態においては、電界または磁界の変化を検出するためにＸ方向ループコイル群１０及びＹ方向ループコイル群２０を備える構成として説明したが、本発明はこれに限定されず、例えば、ループコイルに代えて、ループを形成しないアンテナを用いる構成とすることも可能である。アンテナの形状としては、クシ型と呼ばれる、一本の線路から複数の配線が分岐して延びた形状が挙げられる。
【００４９】
この場合、Ｘ方向ループコイル群１０のループコイルの代わりに、複数の直線状の配線を互いに平行にＸ方向に並べて配置し、Ｙ方向ループコイル群２０のループコイルの代わりに、複数の直線状の配線を互いに平行にＹ方向に並べて配置する。そして、これら直線状の配線の間に端子部３０を配設し、さらに、各直線状の配線と端子部３０の各端子とを接続する線路を、上記直線状の配線の間を通るように配設すれば、ループコイルを用いなくても、上記実施の形態におけるセンス部１と同様の効果が得られる。
【００５０】
ここで、ループコイルに代えてクシ型のアンテナを用いた具体的な例について、図７を参照して説明する。
図７に示すセンス部５は、センス部１と同様にガラスエポキシ基板等のリジッド基板を用いたもので、Ｘ方向信号検出線群６０およびＹ方向信号検出線群７０が配設されている。
Ｘ方向信号検出線群６０は、Ｘ方向に延びる基線６１に、Ｙ方向に延びる５本の信号検出線６２−１〜６２−５が接続されて構成される。これら５本の信号検出線６２−１〜６２−５の内側が、Ｘ方向信号検出線群６０によって信号を検出可能な検出可能エリアとなる。また、Ｙ方向信号検出線群７０は、Ｙ方向に延びる基線７１に、Ｘ方向に延びる５本の信号検出線７２−１〜７２−５が接続されて構成される。これら５本の信号検出線７２−１〜７２−５の内側が、Ｙ方向信号検出線群７０によって信号を検出可能な検出可能エリアとなる。
【００５１】
センス部５には、検出可能エリアの内側に端子部８０が配設される。端子部８０には、それぞれ、信号検出線６２−１〜６２−５および信号検出線７２−１〜７２−５に接続される１０個の端子が設けられる。端子部８０の各端子は、端子部３０における端子対と同様にセンス部５の表面に露出する。
そして、センス部５には、Ｘ方向信号検出線群６０の信号検出線６２−１〜６２−５と端子部８０の各端子とをそれぞれ接続する線路６３−１〜６３−５が配され、さらに、Ｙ方向信号検出線群７０の信号検出線７２−１〜７２−５と端子部８０の各端子とをそれぞれ接続する線路７３−１〜７３−５が配される。これらの線路６３−１〜６３−５，７３−１〜７３−５は、いずれも、Ｘ方向信号検出線群６０及びＹ方向信号検出線群７０の検出可能エリア内に配設される。
【００５２】
図７に示すセンス部５は、上記実施の形態におけるセンス部１と同様の種々の利点を有する。すなわち、信号検出線６２−１〜６２−５および信号検出線７２−１〜７２−５を設けた領域の内部に、これら信号検出線に給電及び信号の送出を行い、かつ各信号検出線から信号を取り出すための線路および端子を設けることに成功している。従って、電界または磁界の変化の検出に利用できない領域（無効エリア）をほぼ無くすことができ、センス部５のほぼ全面を、電界または磁界の変化の検出に利用可能な検出可能エリアとすることができる。これにより、限られた基板の面積を最大限に有効利用することが可能となり、センス部５全体のサイズを縮小しつつも、広い検出可能エリアを確保することができる。
【００５３】
また、端子部８０の各端子は表面に露出しているため、これらの端子にフラットケーブル２（図３）を接続することにより、コントロール回路基板３（図３）等の外部基板等を容易に接続できる。
さらに、センス部５は、センス部１と同様に安価で高い剛性を有するリジッド基板を用いて構成されるので、基板自体を筐体に直接ネジ止めする等して固定することができる。このため、センス部５を用いた機器の構成を単純化することが可能なため、故障率が低く、低コスト化が可能で、かつ、デザインの自由度が高い機器を提供できる。
【００５４】
なお、図７に示す例においては、１本の基線６１に信号検出線６２−１〜６２−５が接続されたＸ方向信号検出線群６０を用いる構成としたが、センス部５に複数のＸ方向信号検出線群を並べた構成とすることも可能である。すなわち、基線６１とは別の基線と、この基線に接続される別の１又は複数の信号検出線とからなるＸ方向信号検出線群を、Ｘ方向信号検出線群６０と並ぶように設けることも可能である。Ｙ方向信号検出線群７０についても同様であり、基線７１とは別の基線と、この基線に接続される別の１又は複数の信号検出線とからなるＹ方向信号検出線群を、さらにセンス部５に設けることにより、複数のＹ方向信号検出線群が並ぶ構成とすることも可能である。この場合も、センス部５におけるパターンを利用して、信号検出線が配設された領域の内側に、端子部と、端子部と各信号検出線とを接続する線路とを形成することが可能である。
【００５５】
また、上記実施の形態において、各線路を配設する位置や、各線路を端子部の各端子に接続する順序等についても任意に変更可能であり、その他の細部構成についても本発明の趣旨を損なわない範囲において適宜変更可能である。
【産業上の利用可能性】
【００５６】
本発明の座標指示器のセンス部は、コイルを内蔵した入力ペン（エアブラシ型を含む）やカーソル等の位置指示器と組み合わせて、これら位置指示器により指示された位置を検出する座標指示器として利用可能であり、その形態は、センス部にコントロール回路基板等を接続して一つの筐体に収めたタブレットとしても良いし、液晶表示装置等と同一の筐体に収めて表示画面上における指示操作が可能な入力装置としても良い。
【図面の簡単な説明】
【００５７】
【図１】本発明の実施の形態における座標入力装置におけるセンス部１の構成を示す平面図である。
【図２】図１に示す端子部３０の構成を詳細に示す要部拡大図である。
【図３】図１に示すセンス部１にコントロール回路基板３を接続した状態を示す平面図である。
【図４】図１に示すセンス部１にコントロール回路基板３を接続した状態を示す側面図である。
【図５】図１に示すセンス部１にコントロール回路基板３を接続した状態を示す裏面側の平面図である。
【図６】本発明の実施の形態におけるループコイルの別の例を示す図である。
【図７】本発明の実施の形態においてクシ型のアンテナを用いた例を示す図である。
【符号の説明】
【００５８】
１  センス部
１０  Ｘ方向ループコイル群
１１−１〜１１−１０  ループコイル
１２−１〜１２−１０  線路
２０  Ｙ方向ループコイル群
２１−１〜２１−８  ループコイル
２２−１〜２２−８  線路
３０  端子部
３１−１〜３１−１８  端子対
２  フラットケーブル
３  コントロール回路基板
５  センス部
６０  Ｘ方向信号検出線群
７０  Ｙ方向信号検出線群
６２−１〜６２−５，７２−１〜７２−５  信号検出線
６３−１〜６３−５，７３−１〜７３−５  線路
８０  端子部
【図１】
2005165432.tif 000003
【図２】
2005165432.tif 000004
【図３】
2005165432.tif 000005
【図４】
2005165432.tif 000006
【図５】
2005165432.tif 000007
【図６】
2005165432.tif 000008
【図７】
2005165432.tif 000009